(57)【特許請求の範囲】
【請求項１】
前面が開口した本体キャビネットと、前記本体キャビネットの前面に開閉可能に配設され、ディスプレイ室を有する外扉とを備えた自動販売機であって、前記外扉の背面に片開き式に配設され、前記ディスプレイ室の背面を形成するディスプレイ扉に設けたラッチを外扉に設けた受け金に係合させて係止する自動販売機のディスプレイ扉ロック装置において、
前記ラッチは、上下方向に延在する案内溝を有し、当該案内溝は下部側が略鉛直方向に延在するとともに上部側が上方に向かうに従って後方に傾くように傾倒し、前記案内溝の下部側および上部側にそれぞれ嵌挿されるガイド部材を備えて上下方向にスライド自在であり、かつ、下降位置においては前傾姿勢に傾いて受け金と係合することを特徴とする自動販売機のディスプレイ扉ロック装置。
【請求項２】
請求項１記載の自動販売機のディスプレイ扉ロック装置において、案内溝は上下一対の案内溝であることを特徴とする自動販売機のディスプレイ扉ロック装置。
【発明の詳細な説明】
【技術分野】
【０００１】
この発明は、前面が開口した断熱筐体として形成された本体キャビネットと、当該本体キャビネットの前面に開閉可能に配設され、商品見本を展示するディスプレイ室を有する外扉とを備えた自動販売機であって、前記外扉の背面に片開き式に配設され、前記ディスプレイ室の背面を形成するディスプレイ扉を外扉に係止する自動販売機のディスプレイ扉ロック装置に関する。
【背景技術】
【０００２】
缶入り飲料，瓶入り飲料，ペットボトル飲料などの商品を販売する自動販売機は本体キャビネットの庫内に商品を冷蔵，温蔵状態に区分して保存し、外扉のディスプレイ室内に設置したディスプレイ台上に複数の商品見本を左右に並べて展示し、商品見本に応じて設けられた商品選択ボタンを押すことにより指定された商品を販売するように構成されている。この種の従来の自動販売機について図５を用いて説明する。
図５に示すように、この自動販売機は、前面が開口した断熱筐体として形成された本体キャビネット１と、本体キャビネット１の前面にヒンジにより開閉可能に支持された外扉２とからなる。本体キャビネット１の開口面は開閉可能な断熱内扉３によって閉塞されて商品収納庫を画成している。本体キャビネット１の庫内は、断熱仕切壁により左右方向に複数の商品収納室に区分され、各商品収納室には缶入り飲料，瓶入り飲料，ペットボトル入り飲料などの商品を収容するとともにその下端に商品を搬出する商品払出機構を有する商品収納ラックが収設され、また、各商品収納室の下部には、当該各商品収納室を冷却もしくは加熱して商品収納ラックに収納した商品を冷却または加熱する冷却／加熱ユニットが配設されている。
前記外扉２の前面の上部域はアクリル樹脂からなる透明パネル４で覆われ、この透明パネル４と外扉２に片開き式に軸支されたディスプレイ扉６との間の空間がディスプレイ室５として形成されている。前記ディスプレイ扉６の前面には、本体キャビネット１の庫内に収容した商品に対応した複数の商品見本８を左右に一列に並べて載置したディスプレイ台７が上下方向に３段取付けられている。前記透明パネル４には各ディスプレイ台７と対峙する位置に商品選択ボタンユニット９が設けられ、当該商品選択ボタンユニット９は、ディスプレイ台７に載置された各商品見本８に対応して左右に一列に並べて設けた商品選択ボタン（不図示）を有している。また、前記外扉２の前面には不図示の硬貨投入口、紙幣挿入口、返却レバー、ロック付ハンドル（外扉ロック装置）、硬貨返却口などに加えて商品取出口２１が設けられている。さらに、前記外扉２の背面には硬貨投入口に連通したコインメカニズム２２、このコインメカニズム２２に連通した金庫２３、紙幣挿入口に連通した紙幣識別装置２４などが設けられている。なお、ディスプレイ室５の上部およびディスプレイ台７の下部には商品見本８などを明るく照らす蛍光灯などの照明光源（不図示）が配設されている。
【０００３】
前記ディスプレイ扉６は自動販売機の正面側から見て左端側を外扉２にヒンジ結合されて片開き式に開閉可能に軸支されており、ヒンジとは反対側の端部（この場合は右端）に揺動可能な鉤状のラッチ１０が設けられている。一方、外扉２の外周枠を構成する外枠には前記ラッチ１０と対向する位置に受け金１１が設けられている。前記ラッチ１０と受け金１１によりディスプレイ扉６のロック装置を構成している（例えば、特許文献１）。
図６は前記ディスプレイ扉６および外扉２にそれぞれ設けたラッチ１０および受け金１１からなるディスプレイ扉６のロック装置の構成および動作を示すものである。前記ラッチ１０は先端側に鉤状の爪部１０ａとその前縁に下向きのテーパーガイド面１０ｂが形成され、さらにラッチ１０の上縁には側方に張出した把手１０ｃが形成されており、ラッチ１０の板面中央には円弧状の長溝１０ｄが開口されている。そして、前記ラッチ１０の後端基部は段付きねじＳ１を介してディスプレイ扉６に揺動可能に軸支され、前記長溝１０ｄには段付きねじＳ２が嵌挿されている。前記長溝１０ｄは段付きねじＳ１を中心とした円弧として形成されており、当該溝内に嵌挿された段付きねじＳ２によりラッチ１０の揺動範囲を規制するように構成されている。なお、受け金１１も段付きねじとして形成され、ラッチ１０の爪部１０ａと係合可能に形成されている。
【０００４】
図６の（ａ）〜(ｃ)にはディスプレイ扉６を開放した状態から閉じる場合を例としてそのラッチの動きが動作順に示されている。図６の（ａ）に示すように、ディスプレイ扉６を開放状態から閉位置に向けて矢印方向に押し込むと、閉位置の直前においてラッチ１０のテーパーガイド面１０ｂが受け金１１に突き当たった後、図６の（ｂ）に示すようにテーパーガイド面１０ｂに沿ってラッチ１０が上方に揺動し、ここで爪部１０ａが受け金１１を乗り越えると、図６の（ｃ）に示すようにラッチ１０が下向きに揺動して爪部１０ａが受け金１１に係合し、これによりディスプレイ扉６が外扉２に閉止状態でロックされる。そして、ディスプレイ扉６を開ける場合には、ラッチ１０の把手１０ｃに手を掛けて軽く引き上げることより、爪部１０ａが受け金１１から抜け出てロックが解除される。
【特許文献１】特開２００１−６０３７号公報
【発明の開示】
【発明が解決しようとする課題】
【０００５】
前記特許文献１に開示された自動販売機のディスプレイ扉のロック装置においては、開放状態のディスプレイ扉６を閉じるとラッチ１０が受け金１１に当接した際に揺動して自動的に受け金１１に係合してロックされるように構成されていることから、ディスプレイ扉６のロックが簡単であり、かつ、ロックの掛け忘れのおそれもなくなるという点で優れている。ところが、特許文献１に開示されたロック装置においては、ラッチ１０が段付きねじＳ１を中心として揺動するように構成されているため、ラッチ１０が図６の（ａ）の状態から図６の（ｂ）の状態に揺動可能なようにラッチ１０の背後方向にスペースが必要となる。このスペースは外扉の幅（奥行き）方向に必要なものとなるために外扉の薄型化を妨げることとなる。
このため、図７に示すように、ラッチ１０の板面に上下方向に延在する上下一対の案内溝１２，１３を設け、案内溝１２に段付きねじＳ１を嵌挿し、案内溝１３にガイド爪１４を嵌挿してラッチ１０が上下方向にスライド移動するようにしたロック装置が開発された。前記ガイド爪１４はラッチ１０に重ね合わせてディスプレイ扉６に固着された取付金具１５から切り起こされたものである。なお、前記取付金具１５はラッチ１０のテーパーガイド面１０ｂと同様なガイド面を有し、前記ディスプレイ扉６を閉止する際に前記ガイド面が受け金１１に当接してディスプレイ扉６を持ち上げるように構成され、ディスプレイ扉６の反ヒンジ側が下方に沈下した際にもラッチ１０と受け金１１との係合を保障するものである。この図７に示すロック装置においてディスプレイ扉６を開放状態から閉位置に向けて押し込むとラッチ１０のテーパーガイド面１０ｂが受け金１１に突き当たってラッチ１０は上方にスライド移動（上昇）し、その爪部１０ａが受け金１１を乗り越えると下方にスライド移動（下降）してその爪部１０ａが受け金１１に係合する。
【０００６】
図７に示すロック装置においてはラッチ１０が上昇・下降して受け金１１に係合・離脱するように構成されていることから外扉の幅（奥行き）方向のスペースを必要としない。ところが、ラッチ１０と受け金１１との相対位置がずれた場合にロックが不完全となることがある。これは、図７に示すように、ディスプレイ扉６の組立のばらつきによりラッチ１０が受け金１１に対して上方域に位置する場合には、ラッチ１０が受け金１１に深く係合する以前にラッチ１０の下降が停止することからラッチ１０と受け金１１との係合度合いが浅くなり、ロックが不完全となるおそれがある。
そこで、本発明は上記の点に鑑みなされたものであり、その目的は前記課題を解決し、ラッチと受け金との相対位置がずれた場合にもディスプレイ扉を良好にロックすることが可能な自動販売機におけるディスプレイ扉ロック装置を提供することにある。
【課題を解決するための手段】
【０００７】
上記目的を達成するために請求項１に係る発明は、前面が開口した本体キャビネットと、前記本体キャビネットの前面に開閉可能に配設され、ディスプレイ室を有する外扉とを備えた自動販売機であって、前記外扉の背面に片開き式に配設され、前記ディスプレイ室の背面を形成するディスプレイ扉に設けたラッチを外扉に設けた受け金に係合させて係止する自動販売機のディスプレイ扉ロック装置において、前記ラッチは、上下方向に延在する案内溝を有し、当該案内溝は下部側が略鉛直方向に延在するとともに上部側が上方に向かうに従って後方に傾くように傾倒し、前記案内溝の下部側および上部側にそれぞれ嵌挿されるガイド部材を備えて上下方向にスライド自在であり、かつ、下降位置においては前傾姿勢に傾いて受け金と係合することを特徴とする。
また、上記目的を達成するために請求項２に係る発明は請求項１に記載した自動販売機において、案内溝は上下一対の案内溝であることを特徴とする。
【発明の効果】
【０００８】
本発明の請求項１に係る自動販売機におけるディスプレイ扉ロック装置によれば、前面が開口した本体キャビネットと、前記本体キャビネットの前面に開閉可能に配設され、ディスプレイ室を有する外扉とを備えた自動販売機であって、前記外扉の背面に片開き式に配設され、前記ディスプレイ室の背面を形成するディスプレイ扉に設けたラッチを外扉に設けた受け金に係合させて係止する自動販売機のディスプレイ扉ロック装置において、前記ラッチは、上下方向に延在する案内溝を有し、当該案内溝は下部側が略鉛直方向に延在するとともに上部側が上方に向かうに従って後方に傾くように傾倒し、前記案内溝の下部側および上部側にそれぞれ嵌挿されるガイド部材を備えて上下方向にスライド自在であり、かつ、下降位置においては前傾姿勢に傾いて受け金と係合するように構成したことにより、組立時のばらつきによりラッチと受け金との相対位置がずれてラッチが受け金に対して上方域に位置する場合にもラッチが下降位置で前傾姿勢となって受け金と係合することからラッチと受け金の良好な係合を維持することができる。
また、前記ラッチは上下方向に延在する案内溝を有し、当該案内溝は下部側が略鉛直方向に延在するとともに上部側が上方に向かうに従って後方に傾くように延在し、前記案内溝の下部側および上部側にそれぞれ嵌挿されるガイド部材を備えていることにより、下部側の案内溝が鉛直方向に延在するのに対して上部側の案内溝が上方に向かうに従って後方に傾くように延在していることから、上部側の案内溝がガイド部材に対して相対的に移動、すなわち、ラッチが上下にスライドする際にラッチが下部側の案内溝に嵌挿したガイド部材を支点として上部側の案内溝の傾きに従って漸次水平姿勢ないしは前傾姿勢に傾き、ラッチが下降した下降位置においては前傾姿勢に傾いて受け金と係合する。したがって、ラッチをスムーズに上下方向にスライドさせることが可能で、ロック装置の安定した動作を確保することができる。
【０００９】
また、本発明の請求項２に係る自動販売機におけるディスプレイ扉ロック装置によれば、案内溝を上下一対の案内溝としたことにより、ラッチに形成する下部側の鉛直方向に延在する溝と上部側の傾斜した溝はそれぞれ楕円状の単純が形状とすることができ、ラッチに案内溝を形成する際の金型を単純に構成することができる。
【発明を実施するための最良の形態】
【００１０】
以下、本発明における実施の形態である自動販売機のディスプレイ扉ロック装置を図面に基づいて説明する。
（実施の形態１）
図１は本発明の実施の形態１である自動販売機のディスプレイ扉ロック装置を拡大して示し、図１の（ａ）はディスプレイ扉ロック装置の要部斜視図、（ｂ）は（ａ）の側面図であり、図２はは前記ロック装置の動作説明図であり、図２の（ａ），（ｂ），（ｃ）はそれぞれディスプレイ扉を閉止する際のラッチの動きを動作順に表した図である。なお、自動販売機の全体構成は図６に示したものと同一であり、また、図７，図８に示すものと同一のものには同一の符号を付している。
図１において、６で再び外扉２に片開き式に軸支されたディスプレイ扉を示し、このディスプレイ扉６の側面には逆Ｌ字状の取付金具１５が取付けられている。一方、外扉２の側面には従来と同様に段付きねじからなる受け金１１が取付けられている。前記取付金具１５にはそれぞれ切り起しにより形成されたガイド爪１４と固定片１５１が形成されている。前記ガイド爪１４は取付金具１５の板面から右方（図１の（ｂ）では紙面から手前側であってディスプレイ扉６の側面から突出する方向）に向けて立ち上り、そして自由端が取付金具１５の板面に平行になるように下方に向けて延在して形成され、固定片１５１は取付金具１５の板面から左方（図１の（ｂ）では紙面から奥側であってディスプレイ扉６に埋もれる方向）に向けて立ち上がり、そして自由端が取付金具１５の板面に平行になるように上方に向けて延在して形成されている。前記取付金具１５は前記固定片１５１をディスプレイ扉６に設けた嵌合孔６１（図１の（ｂ）参照）に嵌合させるとともにねじＳによりディスプレイ扉６に固着されている。この取付金具１５は図７に示した取付金具１５と同様な機能を有するものであり、ディスプレイ扉６の反ヒンジ側が沈下した際にもディスプレイ扉６を閉止する際に受け金１１に当接してディスプレイ扉６を持ち上げるように機能するものである。なお、図１の（ａ）における７１はディスプレイ台７（図５参照）を保持する固定台、７２は照明光源としての蛍光灯である。
【００１１】
さて、１００は前記取付金具１５に重ね合わせて配設されたラッチであり、このラッチ１００には従来のものと同様に、先端側に鉤状の爪部１００ａとその前縁に下向きのテーパーガイド面１００ｂを有し、さらにラッチ１００の下縁には側方に張出した把手１００ｃを有する。また、ラッチ１００は従来のものと同様に上下一対の案内溝１２０，１３０を有しているが、従来では上下一対の案内溝がそれぞれ鉛直方向に平行に配設されているのに対し、この実施の形態１においては下部側の案内溝１２０が鉛直方向に延在する一方、上部側の案内溝１３０が上方に向かうに従って後方（奥行き方向）に傾くように傾倒している点で相違している。なお、案内溝１２０には段付きねじＳ１が嵌挿され、案内溝１３０にはガイド爪１４が嵌挿され、これらの段付きねじＳ１とガイド爪１４に沿ってラッチ１００は上下方向にスライド移動自在に配設されている。
この実施の形態１におけるロック装置の動作を図２により説明する。前記ディスプレイ扉６の開放状態ではラッチ１００が下降停止位置に位置して前傾した状態にある。前記ディスプレイ扉６を開放状態から閉位置に向けて押し込むと、図２の（ａ）に示すように、閉位置の直前においてラッチ１００のテーパーガイド面１００ｂが受け金１１に突き当たる。この状態から更にディスプレイ扉６を閉位置に向けて押し込むと、図２の（ｂ）に示すようにテーパーガイド面１００ｂに沿ってラッチ１００が上方にスライド移動（上昇）し、次いで、爪部１００ａが受け金１１を乗り越えると、図２の（ｃ）に示すようにラッチ１００が下方にスライド移動（下降）して爪部１００ａが受け金１１に係合する。
【００１２】
ここで、前記ラッチ１００に配設された下部側の案内溝１２０が鉛直方向を向き、上部側の案内溝１３０が上方に向かうに従って後方（奥行き方向）に傾くように傾倒していることからラッチ１００は次のように動作する。すなわち、ディスプレイ扉６を開放状態から閉位置に向けて押し込む際、ラッチ１００のテーパーガイド面１００ｂが受け金１１に突き当たりラッチ１００が上方にスライド移動（上昇）する場合、ラッチ１００は案内溝１３０とガイド爪１４との作用により前傾姿勢から漸次水平姿勢に移行し、爪部１００ａが受け金１１を乗り越えて下方にスライド移動（下降）する場合には前記水平姿勢から漸次前傾姿勢に移行する。そして、ラッチ１００の下降停止位置ではラッチ１００が案内溝１３０の後方（奥行き方向）への傾きに従って大きく前傾した姿勢となり、ラッチ１００の爪部１００ａは受け金１１に深く係合するようになる。従って、組立時のばらつきによりラッチ１００と受け金１１との相対位置がずれてラッチ１００が受け金１１に対して上方域に位置する場合にもラッチ１００が前傾姿勢で受け金１１に係合するのでディスプレイ扉６を確実に閉止状態にロックすることができる。なお、ディスプレイ扉６を開ける場合には、ラッチ１００の把手１００ｃ（図１参照）に手を掛けてラッチ１００を上方へスライド移動させることより、爪部１００ａが受け金１１から抜け出てロックが解除される。
【００１３】
（実施の形態２）
図３は本発明の実施の形態２である自動販売機のディスプレイ扉ロック装置における施錠時の側面図である。図３において、図１に示すものと同一のものには同一の符号を付している。
図３に示した実施の形態２における自動販売機のディスプレイ扉ロック装置が図１に示した実施の形態１のロック装置と相違する点は、実施の形態１のロック装置におけるラッチ１００には上下一対の案内溝１２０，１３０が配設されているのに対し、この実施の形態２では案内溝１４０が連続した溝から形成されている点である。すなわち、この実施の形態２ではラッチ１０１に配設した案内溝１４０は鉛直方向を向いた下部側の案内溝１４０ａと、上方に向かうに従って後方（奥行き方向）に傾くように傾倒した上部側の案内溝１４０ｂとを連結溝１４０ｃにより連結して上下方向に連続した溝として形成されている。
このように案内溝１４０が下部側の案内溝１４０ａと上部側の案内溝１４０ｂとを連結溝１４０ｃにより連結されていることによってラッチ１０１の爪部１０１ａが受け金１１に係合したロック時に段付きねじＳ１が連結溝１４０ｃまで入り込むのでラッチ１０１はガイド爪１４で支持されるようになる。つまり、図１に示した実施の形態１のロック装置において、下部側の案内溝１２の長さが短くて段付きねじＳ１によって下降したラッチ１００が支持される場合にはガイド爪１４と案内溝１３との間に遊びができることからラッチ１００が段付きねじＳ１を支点として揺動可能な状態となり、ラッチ１００は振動等によってがたつくおそれがある。一方、実施の形態２では、ラッチ１０１の下降停止状態がガイド爪１４で支持され、前記ガイド爪１４を支点とするラッチ１０１の揺動が段付きネジＳ１によって規制される。従って、下降停止位置におけるラッチ１０１を略静止状態に維持することができ、より一層確実にディスプレイ扉６を閉止状態にロックすることができる。なお、実施の形態２におけるロック装置の動作は実施の形態１と同様であるのでここでは説明を省略する。
【００１４】
（実施の形態３）
図４は本発明の実施の形態３である自動販売機のディスプレイ扉ロック装置における施錠時の側面図である。図４において、図１に示すものと同一のものには同一の符号を付している。
図４に示した実施の形態３における自動販売機のディスプレイ扉ロック装置が図１に示した実施の形態１のロック装置と相違する点は、実施の形態１のロック装置におけるラッチ１００には鉛直方向を向いた下部側の案内溝１２０と、上方に向かうに従って後方（奥行き方向）に傾くように傾倒した上部側の案内溝１３０とが配設されているのに対し、この実施の形態３ではラッチ１０２に配設された上下一対の案内溝１５０，１６０がそれぞれ鉛直方向を向いており、かつ、上部側の案内溝１６０の上部域に、後方（奥行き方向）に向けて切り欠いた切欠き１６０ａを有する異形溝としている点である。すなわち、この実施の形態３ではラッチ１０２に配設した上下一対の案内溝１５０，１６０が鉛直方向に延在し、かつ、上部側の案内溝１６０がその上部域に切欠き１６０ａを有する異形溝として形成されている点が従来のものと相違する。
図４に示した実施の形態３におけるロック装置の動作について説明すると、ディスプレイ扉６が開放状態にある場合、ラッチ１０２は上部側の案内溝１６０の切欠き１６０ａに係止爪１４を受入れて下降停止位置で前傾姿勢となっている。今、ディスプレイ扉６を開放状態から閉位置に向けて押し込み、ラッチ１０２のテーパーガイド面１０２ｂが受け金１１に突き当たった場合、ラッチ１０２が前傾姿勢から水平姿勢に移行するので係合爪１４が切欠き１６０ａから抜け出し、ラッチ１０２は上方向に鉛直にスライド移動（上昇）する。そして、その爪部１０２ａが受け金１１を乗り越えるとラッチ１０２は再び下方向に鉛直にスライド移動（下降）し、下降停止位置に近づくとガイド爪１４を案内溝１６０の切欠き１６０ａに受入れるように水平姿勢から前傾姿勢に移行し、前記爪部１０２ａが受け金１１に深く係合する。この実施の形態３では、案内溝１６０における切欠き１６０ａの奥行き方向の深さを調整（例えば、切欠きを削るなど）することによって爪部１０２ａと受け金１１の係合深さを調節することができ、これによりディスプレイ扉６の組立誤差を吸収することが可能となる。なお、この実施の形態３ではラッチ１０２の前傾姿勢を係合爪１４が案内溝１６０との間に遊びを有する、つまり、図４のように爪部１０２ａが受け金１１に係合した状態でラッチ１０２が時計方向に揺動するおそれがあるが、この場合にはラッチ１０２を反時計方向に付勢するコイルばねなどの付勢手段を設ければよい。
【００１５】
前述したとおり本発明によれば、前面が開口した本体キャビネット１と、前記本体キャビネット１の前面に開閉可能に配設され、ディスプレイ室５を有する外扉２とを備えた自動販売機であって、前記外扉２の背面に片開き式に配設され、前記ディスプレイ室５の背面を形成するディスプレイ扉６に設けたラッチ１００（若しくは１０１、１０２）を外扉２に設けた受け金１１に係合させて係止する自動販売機のディスプレイ扉ロック装置において、前記ラッチ１００（若しくは１０１、１０２）は上下方向にスライド自在であり、かつ、下降位置においては前傾姿勢に傾いて受け金１１と係合するように構成したことにより、組立時のばらつきによりラッチ１００（若しくは１０１、１０２）と受け金１１との相対位置がずれてラッチ１００（若しくは１０１、１０２）が受け金１１に対して上方域に位置する場合にもラッチ１００（若しくは１０１、１０２）が下降位置で前傾姿勢となって受け金１１と係合することからラッチ１００（若しくは１０１、１０２）と受け金１１の良好な係合を維持することができるものである。
以上に説明した本発明に係る自動販売機は缶入り飲料、ビン入り飲料、ペットボトル入り飲料、紙パック入り飲料等の商品を販売するものに加えてたばこなどの物品を販売する自動販売機に有用である。
【図面の簡単な説明】
【００１６】
【図１】本発明の実施の形態１である自動販売機のディスプレイ扉ロック装置を示し、（ａ）はその要部斜視図、（ｂ）はその側面図である。
【図２】図１における自動販売機のディスプレイ扉ロック装置の動作説明図であり、（ａ），（ｂ），（ｃ）はそれぞれディスプレイ扉を閉止する際のラッチの動きを動作順に表した図である。
【図３】本発明の実施の形態２である自動販売機のディスプレイ扉ロック装置を示す要部側面図である。
【図４】本発明の実施の形態３である自動販売機のディスプレイ扉ロック装置を示す要部側面図である。
【図５】本発明の実施対象に係る自動販売機の全体構成を示す外扉開放状態の斜視図である。
【図６】従来のディスプレイ扉ロック装置の動作説明図であり、（ａ），（ｂ），（ｃ）はそれぞれディスプレイ扉を閉止する際のラッチの動きを動作順に表した図である。
【図７】図６とは異なる従来のディスプレイ扉ロック装置を示し、（ａ）および（ｂ）はそれぞれディスプレイ扉の閉止状態および閉止状態からラッチを上方にスライドさせた際の側面図である。
【符号の説明】
【００１７】
１    本体キャビネット
２    外扉
５    ディスプレイ室
６    ディスプレイ扉
１１    受け金
１４    ガイド爪
１５    取付金具
１００，１０１，１０２    ラッチ
１２０、１３０、１４０、１５０、１６０    案内溝
【図１】
0004978555.tif 000002
【図２】
0004978555.tif 000003
【図３】
0004978555.tif 000004
【図４】
0004978555.tif 000005
【図５】
0004978555.tif 000006
【図６】
0004978555.tif 000007
【図７】
0004978555.tif 000008